(57)【要約】【課題】より官能的な指標にて肌状態を知り得ることを可能とする肌状態推定装置を提供する。【解決手段】インピーダンス測定手段１０１において、接触インピーダンスと体内インピーダンスとを測定し、生体等価モデル関連パラメータ推定手段１０２において、測定した体内インピーダンスに基づいて生体組織を構成する等価モデルに係わるパラメータを推定し、肌状態推定手段１０３において、測定した接触インピーダンス、測定した体内インピーダンス、推定した生体組織を構成する等価モデルに係わるパラメータのうちの少なくともいずれか一つに基づいて肌状態を推定する。【選択図】図１
2005253840.tif 000002
【特許請求の範囲】
【請求項１】
身体に接触するための電極を有し、前記電極を身体に接触した際に多周波数交流の電流を流し、その際に生ずる接触インピーダンスと体内インピーダンスとを測定するインピーダンス測定手段と、
前記インピーダンス測定手段により測定した接触インピーダンス、前記インピーダンス測定手段により測定した体内インピーダンスのうちの少なくともいずれか一つに基づいて肌状態を推定する肌状態推定手段と、
を備えることを特徴とする肌状態推定装置。
【請求項２】
前記インピーダンス測定手段で流した電流の周波数及び測定した体内インピーダンスに基づいて、生体組織を構成する等価モデルに係わるパラメータを推定する生体等価モデル関連パラメータ推定手段を更に備え、
前記肌状態推定手段は、前記生体等価モデル関連パラメータ推定手段により推定した生体組織を構成する等価モデルに係わるパラメータを更に付加したうちの少なくともいずれか一つに基づいて肌状態を推定することを特徴とする請求項１記載の肌状態推定装置。
【請求項３】
前記生体組織を構成する等価モデルに係わるパラメータが、細胞外液抵抗、細胞内液抵抗、分布膜容量、細胞外液抵抗と細胞内液抵抗との並列合成抵抗、実部軸と虚部軸とに周波数に依存するインピーダンスのベクトル軌跡を示す円弧則に基づいて前記インピーダンス測定手段で測定した多周波数交流における体内インピーダンスに対応するベクトル軌跡を描いた際に測定した体内インピーダンスと実部軸とを結ぶ直線と実部軸との成す角度、であることを特徴とする請求項２記載の肌状態推定装置。
【請求項４】
前記生体等価モデル関連パラメータ推定手段は、細胞外液抵抗をＲｅ、細胞内液抵抗をＲｉ、分布膜容量をＣｍ、周波数をｆ、虚数をｊ、円周率をπ、体内インピーダンスＺＢ（レジスタンス成分をＲＢ、リアクタンス成分をＸＢ）とし、ＺＢ（＝ＲＢ＋ｊ×ＸＢ）＝Ｒｅ（Ｒｉ＋１／２×π×ｆ×ｊ×Ｃｍ）／Ｒｅ＋（Ｒｉ＋１／２×π×ｆ×ｊ×Ｃｍ）で表される式を用いて、細胞外液抵抗、細胞内液抵抗、分布膜容量を推定することを特徴とする請求項３記載の肌状態推定装置。
【請求項５】
前記多周波数交流とは、５０kHzの周波数交流及び６.２５kHzの周波数交流である特徴とする請求項３又は４記載の肌状態推定装置。
【請求項６】
前記肌状態推定手段は、推定する肌状態としての指標を、潤い（又は、かさつき）、張り（又は、むくみ）、きめ、あぶら（又は、つや）のうちの少なくともいずれかとすることを特徴とする請求項５記載の肌状態推定装置。
【請求項７】
前記肌状態推定手段は、潤い（又は、かさつき）をＦｗ、張り（又は、むくみ）をＦｔ、きめをＦｓ、あぶら（又は、つや）をＦｆ、５０kHzの周波数交流における接触インピーダンスのレジスタンス成分をＲＣ５０、５０kHzの周波数交流における接触インピーダンスのリアクタンス成分をＸＣ５０、５０kHzの周波数交流における体内インピーダンスのレジスタンス成分をＲＢ５０、５０kHzの周波数交流における体内インピーダンスのリアクタンス成分をＸＢ５０、６.２５kHzの周波数交流における体内インピーダンスのレジスタンス成分をＲＢ６.２５、６.２５kHzの周波数交流における体内インピーダンスのリアクタンス成分をＸＢ６.２５、細胞外液抵抗をＲｅ、細胞内液抵抗をＲｉ、分布膜容量をＣｍ、細胞外液抵抗と細胞内液抵抗との並列合成抵抗をＲ∞、実部軸と虚部軸とに周波数に依存するインピーダンスの関係を示す円弧則に基づいて前記インピーダンス測定手段で測定した多周波数交流における体内インピーダンスに対応する円弧を描いた際に測定した５０kHzの周波数交流における体内インピーダンスと実部軸とを結ぶ直線と実部軸との成す角度をφ、係数（定数）をａｗ１〜ａｗ４、ａｔ１〜ａｔ５、ａｓ１〜ａｓ３、ａｆ１〜ａｆ３とし、Ｆｗ＝ａｗ１×ＲＣ５０−１＋ａｗ２×Ｒｅ−１＋ａｗ３×Ｒｉ／Ｒｅ＋ａｗ４、Ｆｔ＝ａｔ１×Ｒｅ−１＋ａｔ２×Ｒ∞−１＋ａｔ３×Ｒｉ−１＋ａｔ４×φ＋ａｔ５、Ｆｓ＝ａｓ１×φ＋ａｓ２×ＸＢ５０／ＲＢ５０＋ａｓ３、Ｆｆ＝ａｆ１×ＲＢ６.２５／ＸＢ６.２５＋ａｆ２×ＲＣ５０／ＸＣ５０＋ａｆ３で表される式を用いて、潤い（又は、かさつき）、張り（又は、むくみ）、きめ、あぶら（又は、つや）を推定することを特徴とする請求項６記載の肌状態推定装置。
【発明の詳細な説明】
【技術分野】
【０００１】
本発明は、インピーダンス法により肌状態を推定する肌状態推定装置に関する。
【背景技術】
【０００２】
近年、肌状態を推定する装置として、電極を有する把持部の電極部分を肌にあてがって肌水分量を測定する装置（特許文献１及び特許文献２参照）が開示されている。これらの装置は、肌を形成する角質層を誘電体又は抵抗体とし、これらの静電容量又は抵抗の変化をとらえることによって、肌の水分量を求めるものであり、手軽に簡単に肌状態について知り得ることができるものである。
【０００３】
【特許文献１】特開２００３−１６９７８４号公報
【特許文献２】特開２００３−１６９７８５号公報
【発明の開示】
【発明が解決しようとする課題】
【０００４】
ところで、昨今のより高度な質の高い情報を求める社会において、肌状態についても、水分量といった指標ではなく、潤い、張り、きめ、あぶら等といった、より官能的な指標で知り得たいというように望まれてきている。このような潤い、張り、きめ、あぶら等といった、より官能的な指標は、角質層のみならず肌の形成に係わる皮膚層の細胞組織全般に基因する。したがって、上述した特許文献１及び特許文献２に開示されている装置のように、角質層を誘電体又は抵抗体として測定するような方式のものでは、潤い、張り、きめ、あぶら等といった、より官能的な指標を求め得ることができなかった。
【０００５】
そこで、本発明は、このような背景技術の問題点に鑑みて、より官能的な指標にて肌状態を知り得ることを可能とする肌状態推定装置を提供することを目的とする。
【課題を解決するための手段】
【０００６】
本発明の肌状態推定装置は、身体に接触するための電極を有し、前記電極を身体に接触した際に多周波数交流の電流を流し、その際に生ずる接触インピーダンスと体内インピーダンスとを測定するインピーダンス測定手段と、前記インピーダンス測定手段により測定した接触インピーダンス、前記インピーダンス測定手段により測定した体内インピーダンスのうちの少なくともいずれか一つに基づいて肌状態を推定する肌状態推定手段と、を備えることを特徴とする。
【０００７】
また、前記インピーダンス測定手段で流した電流の周波数及び測定した体内インピーダンスに基づいて、生体組織を構成する等価モデルに係わるパラメータを推定する生体等価モデル関連パラメータ推定手段を更に備え、前記肌状態推定手段は、前記生体等価モデル関連パラメータ推定手段により推定した生体組織を構成する等価モデルに係わるパラメータを更に付加したうちの少なくともいずれか一つに基づいて肌状態を推定することを特徴とする。
【０００８】
また、前記生体組織を構成する等価モデルに係わるパラメータが、細胞外液抵抗、細胞内液抵抗、分布膜容量、細胞外液抵抗と細胞内液抵抗との並列合成抵抗、実部軸と虚部軸とに周波数に依存するインピーダンスのベクトル軌跡を示す円弧則に基づいて前記インピーダンス測定手段で測定した多周波数交流における体内インピーダンスに対応するベクトル軌跡を描いた際に測定した体内インピーダンスと実部軸とを結ぶ直線と実部軸との成す角度、であることを特徴とする。
【０００９】
また、前記生体等価モデル関連パラメータ推定手段は、細胞外液抵抗をＲｅ、細胞内液抵抗をＲｉ、分布膜容量をＣｍ、周波数をｆ、虚数をｊ、円周率をπ、体内インピーダンスＺＢ（レジスタンス成分をＲＢ、リアクタンス成分をＸＢ）とし、ＺＢ（＝ＲＢ＋ｊ×ＸＢ）＝Ｒｅ（Ｒｉ＋１／２×π×ｆ×ｊ×Ｃｍ）／Ｒｅ＋（Ｒｉ＋１／２×π×ｆ×ｊ×Ｃｍ）で表される式を用いて、細胞外液抵抗、細胞内液抵抗、分布膜容量を推定することを特徴とする。
【００１０】
また、前記多周波数交流とは、５０kHzの周波数交流及び６.２５kHzの周波数交流である特徴とする。
【００１１】
また、前記肌状態推定手段は、推定する肌状態としての指標を、潤い（又は、かさつき）、張り（又は、むくみ）、きめ、あぶら（又は、つや）のうちの少なくともいずれかとすることを特徴とする。
【００１２】
また、前記肌状態推定手段は、潤い（又は、かさつき）をＦｗ、張り（又は、むくみ）をＦｔ、きめをＦｓ、あぶら（又は、つや）をＦｆ、５０kHzの周波数交流における接触インピーダンスのレジスタンス成分をＲＣ５０、５０kHzの周波数交流における接触インピーダンスのリアクタンス成分をＸＣ５０、５０kHzの周波数交流における体内インピーダンスのレジスタンス成分をＲＢ５０、５０kHzの周波数交流における体内インピーダンスのリアクタンス成分をＸＢ５０、６.２５kHzの周波数交流における体内インピーダンスのレジスタンス成分をＲＢ６.２５、６.２５kHzの周波数交流における体内インピーダンスのリアクタンス成分をＸＢ６.２５、細胞外液抵抗をＲｅ、細胞内液抵抗をＲｉ、分布膜容量をＣｍ、細胞外液抵抗と細胞内液抵抗との並列合成抵抗をＲ∞、実部軸と虚部軸とに周波数に依存するインピーダンスの関係を示す円弧則に基づいて前記インピーダンス測定手段で測定した多周波数交流における体内インピーダンスに対応する円弧を描いた際に測定した５０kHzの周波数交流における体内インピーダンスと実部軸とを結ぶ直線と実部軸との成す角度をφ、係数（定数）をａｗ１〜ａｗ４、ａｔ１〜ａｔ５、ａｓ１〜ａｓ３、ａｆ１〜ａｆ３とし、Ｆｗ＝ａｗ１×ＲＣ５０−１＋ａｗ２×Ｒｅ−１＋ａｗ３×Ｒｉ／Ｒｅ＋ａｗ４、Ｆｔ＝ａｔ１×Ｒｅ−１＋ａｔ２×Ｒ∞−１＋ａｔ３×Ｒｉ−１＋ａｔ４×φ＋ａｔ５、Ｆｓ＝ａｓ１×φ＋ａｓ２×ＸＢ５０／ＲＢ５０＋ａｓ３、Ｆｆ＝ａｆ１×ＲＢ６.２５／ＸＢ６.２５＋ａｆ２×ＲＣ５０／ＸＣ５０＋ａｆ３で表される式を用いて、潤い（又は、かさつき）、張り（又は、むくみ）、きめ、あぶら（又は、つや）を推定することを特徴とする。
【発明の効果】
【００１３】
本発明に係わる肌状態推定装置は、インピーダンス測定手段により多周波数交流の電流を皮膚層に流し、皮膚層の細胞組織全般が反映する接触インピーダンスと体内インピーダンスとを測定し、肌状態推定手段によりこれらのうちの少なくともいずれか一つに基づいて肌状態を推定するため、より官能的な指標にて肌状態を知り得ることができる。
【００１４】
また、生体等価モデル関連パラメータ推定手段により肌状態の基礎を成す生体組織に関連するパラメータを更に推定し、肌状態推定手段によりこれらパラメータをも含めて肌状態を推定するため、より多くの官能的な指標にて肌状態を知り得ることができる。
【発明を実施するための最良の形態】
【００１５】
本発明に係わる肌状態推定装置について、図１に示す機能的構成ブロック図、図２に示す生体電気的等価モデル図、図３に示す周波数に依存するインピーダンスのベクトル軌跡を示す図を参照しながら詳述する。本発明に係わる肌状態推定装置は、図１に示すように、インピーダンス測定手段と生体等価モデル関連パラメータ推定手段と肌状態推定手段とから構成する。
【００１６】
インピーダンス測定手段は、身体に接触するための電極を有し、この電極を身体に接触した際に多周波数交流の電流を流し、その際に生ずる接触インピーダンスと体内インピーダンスとを測定する。より具体的には、インピーダンス測定手段は、測定部、演算式記憶部、定数演算部、定数記憶部、接触インピーダンス演算部及び体内インピーダンス演算部から構成し、接触インピーダンス値と体内インピーダンス値とを求める。
【００１７】
測定部では、複数の電極と内部基準インピーダンスとを有し、次の各種電圧値の測定を行う。（ｉ）第１外部基準インピーダンスが複数の電極に接触している際の第１外部基準インピーダンス両端間に生ずる第１外部基準電圧値及び内部基準インピーダンス両端間に生ずる第１内部基準電圧値の測定、（ii）第２外部基準インピーダンスが複数の電極に接触している際の第２外部基準インピーダンス両端間に生ずる第２外部基準電圧値及び内部基準インピーダンス両端間に生ずる第２内部基準電圧値の測定、（iii）第１外部基準インピーダンス及び第３外部基準インピーダンスが複数の電極に接触している際の第１外部基準インピーダンス両端間に生ずる第３外部基準電圧値及び内部基準インピーダンス両端間に生ずる第３内部基準電圧値の測定、（iv）身体が複数の電極に接触している際の身体接触部位間に生ずる身体電圧値及び内部基準インピーダンス両端間に生ずる第４内部基準電圧値の測定。なお、第１外部基準インピーダンスと第２外部基準インピーダンスについては、身体の体内インピーダンス成分を、第３外部基準インピーダンスについては接触インピーダンス成分を想定するものである。
【００１８】
演算式記憶部では、次の各種演算式の記憶を行う。（ｉ）インピーダンス変動要因による変動定数と第１外部基準電圧値と第１内部基準電圧値とに基づいて第１外部基準インピーダンス値を求めるための第１外部基準インピーダンス演算式の記憶、（ii）インピーダンス変動要因による変動定数と第２外部基準電圧値と第２内部基準電圧値とに基づいて第２外部基準インピーダンス値を求めるための第２外部基準インピーダンス演算式の記憶、（iii）第１外部基準インピーダンス値と第２外部基準インピーダンス値と第３外部基準インピーダンス値と第３内部基準電圧値と第２内部基準電圧値とに基づいて内外基準インピーダンス関係の傾き定数を求めるための傾き演算式の記憶、（iv）内外基準インピーダンス関係の傾き定数と第４内部基準電圧値と内外基準インピーダンス関係の切片定数（第２内部基準電圧値）とに基づいて身体を測定の際の全インピーダンスを求めるための全インピーダンス演算式の記憶、（ｖ）インピーダンス変動要因による変動定数と身体電圧値と第４内部基準電圧値とに基づいて身体を測定の際の暫定体内インピーダンスを求めるための第１暫定体内インピーダンス演算式の記憶、（vi）全インピーダンス値と身体を測定の際の暫定体内インピーダンス値とに基づいて身体を測定の際の接触インピーダンス値を求めるための身体接触インピーダンス演算式の記憶、（vii）インピーダンス変動要因による変動定数と第３内部基準電圧値と第３外部基準電圧値とに基づいて第１外部基準インピーダンス及び第３外部基準インピーダンスを測定の際の暫定体内インピーダンス値を求めるための第２暫定体内インピーダンス演算式の記憶、（viii）第1外部基準インピーダンス及び第３外部基準インピーダンスを測定の際の暫定体内インピーダンス値と第1外部基準インピーダンス値と第３外部基準インピーダンス値とに基づいて外部基準インピーダンスを測定の際の接触インピーダンス値を求めるための外部基準接触インピーダンス演算式の記憶、（ix）第１外部基準インピーダンス及び第３外部基準インピーダンスを測定の際の暫定体内インピーダンス値と外部基準インピーダンスを測定の際の接触インピーダンス値と補正定数とに基づいて第１外部基準インピーダンス値を求めるための外部基準インピーダンス演算式の記憶、（ｘ）身体を測定の際の接触インピーダンス値と身体を測定の際の暫定体内インピーダンス値と補正定数とに基づいて身体を測定の際の体内インピーダンス値を求めるための体内インピーダンス演算式の記憶。なお、第１外部基準インピーダンス演算式、第２外部基準インピーダンス演算式、傾き演算式、外部基準接触インピーダンス演算式及び外部基準インピーダンス演算式における第1外部基準インピーダンス値、第２外部基準インピーダンス値、第３外部基準インピーダンス値及び内部基準インピーダンスは身体を測定の際に想定される値に基づいて決めた既定値である。
【００１９】
定数演算部では、次の各種定数の演算を行う。（ｉ）測定部により測定した第１外部基準電圧値及び第１内部基準電圧値を演算式記憶部により記憶している第１外部基準インピーダンス演算式に代入し、測定部により測定した第２外部基準電圧値及び第２内部基準電圧値を演算式記憶部により記憶している第２外部基準インピーダンス演算式に代入することによるインピーダンス変動要因による変動定数の演算、（ii）測定部により測定した第３内部基準電圧値及び第２内部基準電圧値を演算式記憶部により記憶している傾き演算式に代入することによる内外基準インピーダンス関係の傾き定数の演算、（iii）接触インピーダンス演算部により演算した第１外部基準インピーダンス及び第３外部基準インピーダンスを測定の際の暫定体内インピーダンス値と外部基準インピーダンスを測定の際の接触インピーダンス値とを演算式記憶部ににより記憶している外部基準インピーダンス演算式に代入することによる補正定数の演算。
【００２０】
定数記憶部では、次の各種定数の記憶を行う。（ｉ）定数演算部により演算したインピーダンス変動要因による変動定数の記憶、（ii）定数演算部により演算した内外基準インピーダンス関係の傾き定数の記憶、（iii）測定部により測定した第２内部基準電圧値（内外基準インピーダンス関係の切片定数）の記憶、（iv）定数演算部により演算した補正定数の記憶。
【００２１】
接触インピーダンス演算部では、次の各種インピーダンス値の演算を行う。（ｉ）定数記憶部により記憶した内外基準インピーダンス関係の傾き定数と測定部により測定した第４内部基準電圧値及び第２内部基準電圧値とを演算式記憶部により記憶している全インピーダンス演算式に代入することによる身体を測定の際の全インピーダンス値の演算、（ii）定数記憶部により記憶したインピーダンス変動要因による変動定数と測定部により測定した身体電圧値及び第４内部基準電圧値とを演算式記憶部により記憶している第１暫定体内インピーダンス演算式に代入することによる身体を測定の際の暫定体内インピーダンス値の演算、（iii）先に演算した身体を測定の際の全インピーダンス値及び身体を測定の際の暫定体内インピーダンス値を演算式記憶部により記憶している身体接触インピーダンス演算式に代入することによる身体を測定の際の接触インピーダンス値の演算、（iv）測定部により測定した第３外部基準電圧値及び第３内部基準電圧値と定数記憶部に記憶したインピーダンス変動要因による変動定数とを演算式記憶部により記憶している第２暫定体内インピーダンス演算式に代入することによる第１外部基準インピーダンス及び第３外部基準インピーダンスを測定の際の暫定体内インピーダンス値の演算、（ｖ）第１外部基準インピーダンス及び第３外部基準インピーダンスを測定の際の暫定体内インピーダンス値を演算式記憶部により記憶している外部基準接触インピーダンス演算式に代入することによる外部基準インピーダンスを測定の際の接触インピーダンス（レジスタンス成分、リアクタンス成分）値の演算。
【００２２】
体内インピーダンス演算部では、身体接触インピーダンス演算部により演算した身体を測定の際の接触インピーダンス値及び身体を測定の際の暫定体内インピーダンス値と定数記憶部により記憶した補正定数とを演算式記憶部により記憶している体内インピーダンス演算式に代入することによって、身体を測定の際の体内インピーダンス（レジスタンス成分、リアクタンス成分）値の演算を行う。
【００２３】
生体等価モデル関連パラメータ推定手段は、インピーダンス測定手段で流した電流の周波数及び測定した体内インピーダンス（レジスタンス成分、リアクタンス成分）に基づいて生体組織を構成する等価モデルに係わるパラメータを推定する。より具体的には、生体等価モデル関連パラメータ推定手段は、演算式記憶部（インピーダンス測定手段と共用）、等価モデル関連パラメータ演算部から構成する。そして、等価モデル関連パラメータ演算部において、体内インピーダンス演算部で演算した体内インピーダンス値やインピーダンス測定手段で流した電流の周波数等を演算式記憶部により記憶している生体等価モデル関連パラメータ演算式に代入し、生体組織を構成する等価モデルに係わるパラメータとして、図２に示すような、細胞外液抵抗Ｒｅ、細胞内液抵抗Ｒｉ、分布膜容量Ｃｍの値を演算したり、演算したこれらの値や体内インピーダンス演算部で演算した体内インピーダンス値やインピーダンス測定手段で流した電流の周波数を用い、生体組織を構成する等価モデルに係わるパラメータとして、図３に示すような、実部軸と虚部軸とに周波数に依存するインピーダンスのベクトル軌跡を示す円弧則に基づいてインピーダンス測定手段で測定した多周波数交流における体内インピーダンスに対応するベクトル軌跡を描いた際の測定した体内インピーダンスＺＢ５０と実部軸とを結ぶ直線と実部軸との成す角度φ（φ１又はφ２）、細胞外液抵抗と細胞内液抵抗との並列合成抵抗Ｒ∞（＝Ｒｅ//Ｒｉ）の値を演算したりする。
【００２４】
肌状態推定手段は、インピーダンス測定手段により測定した接触インピーダンス、インピーダンス測定手段により測定した体内インピーダンス、生体等価モデル関連パラメータ推定手段により推定した生体組織を構成する等価モデルに係わるパラメータのうちの少なくともいずれか一つに基づいて肌状態を推定する。より具体的には、肌状態推定手段は、演算式記憶部（インピーダンス測定手段と共用）、肌状態演算部から構成する。そして、肌状態演算部において、接触インピーダンス演算部で演算した接触インピーダンス、インピーダンス測定手段により測定した体内インピーダンス値、体内インピーダンス演算部で演算した体内インピーダンス値、等価モデル関連パラメータ演算部で演算した細胞外液抵抗Ｒｅ、細胞内液抵抗Ｒｉ、分布膜容量Ｃｍ、角度角度φ、並列合成抵抗Ｒ∞の値を演算式記憶部により記憶している肌状態演算式に代入し、肌状態を表す指標として、潤い（又は、かさつき）、張り（又は、むくみ）、きめ、あぶら（又は、つや）等の値を演算する。
【００２５】
なお、上述した形態において、生体等価モデル関連パラメータ推定手段を除き、肌状態推定手段において、インピーダンス測定手段で求めた体内インピーダンス（レジスタンス成分、リアクタンス成分）値だけを用いて、肌状態を表す指標を推定することも実施可能である。
【００２６】
以下、本発明に係わる肌状態推定装置における具体的な実施例について説明する。
【実施例】
【００２７】
まず、図４に示す外観図、図５に示す構造的構成ブロック図、図６に示す回路モデル図を用いて、本発明に係わる肌状態推定装置の具体的な構成について説明する。
【００２８】
肌状態推定装置は、電極Ａ１１及び電極Ｂ１２を除いた測定部１、ＥＥＰＲＯＭ２、マイクロコンピュータ３、表示部４、入力部６（電源キー６ａ、選択キー６ｂ、決定キー６ｃ）及び電源部７を有する筐体５１と、電極Ａ１１及び電極Ｂ１２を有する把持体５２と、これら筐体５１と把持体５２とを接続するコード１３とから構成する。
【００２９】
肌状態推定装置を構成するこれら各部のうち、測定部１は、身体、外部基準インピーダンス（抵抗）又は内部基準インピーダンス（抵抗）についてのインピーダンスに基因する電圧値を測定する。この測定部１は、定電圧（正弦波交流）発生器８、Ｖ／Ｉ変換器９、内部基準インピーダンス１０、電極Ａ１１、電極Ｂ１２、切換器１３、増幅器１４、フィルタ１５及びＡ／Ｄ変換器１６から成る。なお、本実施例において、外部基準インピーダンスには、８００Ω（３ヶ）、２００Ω（１ヶ）の抵抗を、内部基準インピーダンス１０には、８００Ω（１ヶ）の抵抗を用いる。そして、これら抵抗値は、身体（皮膚層）を測定の際に想定される値に基づいて決めたものである。
【００３０】
測定部１を構成するこれら各部のうち、定電圧（正弦波交流）発生器８は、高周波の定電圧を発生する。また、Ｖ／Ｉ変換器９は、この定電圧（正弦波交流）発生器８から受けた定電圧を定電流に変換する。
【００３１】
また、内部基準インピーダンス１０は、環境等の温度変化に基因する定電流の変化、浮遊容量等及び身体が電極に接触した際に発生する接触インピーダンスを補正するための基準として参照するためのものである。
【００３２】
また、電極Ａ１１は、Ｖ／Ｉ変換器９から出力され内部基準インピーダンス１０を経た定電流を身体又は外部基準インピーダンスに通電するための端子であり、電極Ｂ１２は、身体又は外部基準インピーダンスに発生する電圧を検出するための端子であり、把持体５２の先端面に配設する。
【００３３】
また、切換器１３は、定電流が内部基準インピーダンス１０に流れたことにより内部基準インピーダンス両端間に発生する電圧値と、定電流が２つの電極Ｂ間の身体又は外部基準インピーダンスに流れたことにより２つの電極Ｂ間に発生する電圧値との検出の切換えを行う。より具体的には、（ｉ）第１外部基準インピーダンスが電極に接触している際の第１外部基準インピーダンス両端間に生ずる第１外部基準電圧値と内部基準インピーダンス両端間に生ずる第１内部基準電圧値との検出の切換え、（ii）第２外部基準インピーダンスが電極に接触している際の第２外部基準インピーダンス両端間に生ずる第２外部基準電圧値と内部基準インピーダンス両端間に生ずる第２内部基準電圧値との検出の切換え、（iii）第１外部基準インピーダンス及び第３外部基準インピーダンスが電極に接触している際の第１外部基準インピーダンス両端間に生ずる第３外部基準電圧値と内部基準インピーダンス両端間に生ずる第３内部基準電圧値との検出の切換え、（iv）身体が電極に接触している際の身体接触部位間に生ずる身体電圧値と内部基準インピーダンス両端間に生ずる第４内部基準電圧値との検出の切換えを行う。
【００３４】
また、増幅器１４は、切換器１３を経た内部基準インピーダンス１０のインピーダンスに基因する電圧値、又は身体若しくは外部基準インピーダンスのインピーダンスに基因する電圧値を増幅する。また、フィルタ１５は、増幅器１４で増幅された電圧のノイズ成分を除去する。Ａ／Ｄ変換器１６は、フィルタ１５でノイズ成分が除去された電圧（アナログ）をデジタル変換する。
【００３５】
肌状態推定装置を構成するこれら各部のうち、ＥＥＰＲＯＭ２は、演算式記憶部１７及び定数記憶部１８を兼有し、各種演算式及び各種定数を予め記憶する。より具体的には、
（ｉ）インピーダンス変動要因による変動定数をｃ、ｏｓとし、第１外部基準電圧値をＶＯ１とし、第１内部基準電圧値をＶＲ１とし、第１外部基準インピーダンス値をＺＯ１（既定値＝８００Ω）とし、
ＺＯ１＝８００＝ｃ×ＶＯ１／ＶＲ１＋ｏｓ
で表す第１外部基準インピーダンス演算式と、
（ii）インピーダンス変動要因による変動定数をｃ、ｏｓとし、第２外部基準電圧値をＶＯ２とし、第２内部基準電圧値をＶＲ２とし、第２外部基準インピーダンス値をＺＯ２（既定値＝２００Ω）とし、
ＺＯ２＝２００＝ｃ×ＶＯ２／ＶＲ２＋ｏｓ
で表す第２外部基準インピーダンス演算式と、
（iii）第１外部基準インピーダンス値をＺＯ１（既定値＝８００Ω）とし、第３外部基準インピーダンス値をＺＯ３（既定値＝８００Ω）とし、第２外部基準インピーダンス値をＺＯ２（既定値＝２００Ω）とし、第３内部基準電圧値をＶＲ３とし、第２内部基準電圧値をＶＲ２とし、内外基準インピーダンス関係の傾き定数をｐとし、
ｐ＝｛（ＺＯ３＋ＺＯ１＋ＺＯ３）−ＺＯ２｝／（ＶＲ３−ＶＲ２）
＝｛（８００＋８００＋８００）−２００｝／（ＶＲ３−ＶＲ２）
で表す傾き演算式と、
（iv）内外基準インピーダンス関係の傾き定数をｐとし、第４内部基準電圧値をＶＲ４とし、内外基準インピーダンス関係の切片定数をｑ（＝第２内部基準電圧値ＶＲ２）とし、身体を測定の際の全インピーダンス値をＺＴＯＴＡＬとし、
ＺＴＯＴＡＬ＝ｐ×ＶＲ４＋ｑ
で表す全インピーダンス演算式と、
（ｖ）インピーダンス変動要因による変動定数をｃ、ｏｓとし、身体電圧値をＶＨＵＭとし、第４内部基準電圧値をＶＲ４とし、身体を測定の際の暫定体内インピーダンス値をＺＢ−ＴＥＭＰとし、
ＺＢ−ＴＥＭＰ＝ｃ×ＶＨＵＭ／ＶＲ４＋ｏｓ
で表す第１暫定体内インピーダンス演算式と、
（vi）全インピーダンス値をＺＴＯＴＡＬとし、身体を測定の際の暫定体内インピーダンス値をＺＢ−ＴＥＭＰとし、身体を測定の際の接触インピーダンス値をＺＣとし、
ＺＣ＝（ＺＴＯＴＡＬ−ＺＢ−ＴＥＭＰ）／２
で表す身体接触インピーダンス演算式と、
（vii）インピーダンス変動要因による変動定数をｃ、ｏｓとし、第３内部基準電圧値をＶＲ３とし、第３外部基準電圧値ＶＯ３とし、第１外部基準インピーダンス及び第３外部基準インピーダンスを測定の際の暫定体内インピーダンス値をＺＯ１−ＴＥＭＰとし、
ＺＯ１−ＴＥＭＰ＝ｃ×ＶＯ３／ＶＲ３＋ｏｓ
で表す第２暫定体内インピーダンス演算式と、
（viii）第１外部基準インピーダンス値をＺＯ１（既定値＝８００Ω）とし、第３外部基準インピーダンスをＺＯ３（既定値＝８００Ω）とし、第１外部基準インピーダンス及び第３外部基準インピーダンスを測定の際の暫定体内インピーダンス値をＺＯ１−ＴＥＭＰとし、外部基準を測定の際の接触インピーダンス値をＺＣＯとし、
ＺＣＯ＝｛（ＺＯ３＋ＺＯ１＋ＺＯ３）−ＺＯ１−ＴＥＭＰ｝／２
＝｛（８００＋８００＋８００）−ＺＯ１−ＴＥＭＰ｝／２
で表す外部基準接触インピーダンス演算式と、
（ix）補正定数をｋとし、外部基準を測定の際の接触インピーダンス値をＺＣＯとし、第１外部基準インピーダンス及び第３外部基準インピーダンスを測定の際の暫定体内インピーダンス値をＺＯ１−ＴＥＭＰとし、第１外部基準インピーダンス値をＺＯ１とし、
ＺＯ１＝８００＝（１＋ｋＺＣＯ）×ＺＯ１−ＴＥＭＰ
で表す外部基準インピーダンス演算式と、
（ｘ）補正定数をｋとし、身体を測定の際の接触インピーダンス値をＺＣとし、身体を測定の際の暫定体内インピーダンス値をＺＢ−ＴＥＭＰとし、身体を測定の際の体内インピーダンス値をＺＢとし、
ＺＢ＝（１＋ｋＺＣ）×ＺＢ−ＴＥＭＰ
で表す体内インピーダンス演算式と、
（xi）細胞外液抵抗をＲｅとし、細胞内液抵抗をＲｉとし、分布膜容量をＣｍとし、周波数をｆとし、虚数をｊとし、円周率をπとし、体内インピーダンスＺＢ（レジスタンス成分をＲＢ、リアクタンス成分をＸＢ）とし、
ＺＢ（＝ＲＢ＋ｊ×ＸＢ）＝Ｒｅ（Ｒｉ＋１／２×π×ｆ×ｊ×Ｃｍ）
／Ｒｅ＋（Ｒｉ＋１／２×π×ｆ×ｊ×Ｃｍ）
で表す生体等価モデル関連パラメータ演算式と、
（xii）潤い（又は、かさつき）をＦｗとし、張り（又は、むくみ）をＦｔとし、きめをＦｓとし、あぶら（又は、つや）をＦｆとし、５０kHzの周波数交流における接触インピーダンスのレジスタンス成分をＲＣ５０とし、５０kHzの周波数交流における接触インピーダンスのリアクタンス成分をＸＣ５０とし、５０kHzの周波数交流における体内インピーダンスのレジスタンス成分をＲＢ５０とし、５０kHzの周波数交流における体内インピーダンスのリアクタンス成分をＸＢ５０とし、６.２５kHzの周波数交流における体内インピーダンスのレジスタンス成分をＲＢ６.２５とし、６.２５kHzの周波数交流における体内インピーダンスのリアクタンス成分をＸＢ６.２５とし、細胞外液抵抗をＲｅとし、細胞内液抵抗をＲｉとし、分布膜容量をＣｍとし、細胞外液抵抗と細胞内液抵抗との並列合成抵抗をＲ∞とし、実部軸と虚部軸とに周波数に依存するインピーダンスの関係を示す円弧則に基づいて前記インピーダンス測定手段で測定した多周波数交流における体内インピーダンスに対応する円弧を描いた際に測定した５０kHzの周波数交流における体内インピーダンスと実部軸とを結ぶ直線と実部軸との成す角度をφとし、係数（定数）をａｗ１〜ａｗ４、ａｔ１〜ａｔ５、ａｓ１〜ａｓ３、ａｆ１〜ａｆ３とし、
Ｆｗ＝ａｗ１×ＲＣ５０−１＋ａｗ２×Ｒｅ−１＋ａｗ３×Ｒｉ／Ｒｅ＋ａｗ４
Ｆｔ＝ａｔ１×Ｒｅ−１＋ａｔ２×Ｒ∞−１＋ａｔ３×Ｒｉ−１＋ａｔ４×φ＋ａｔ５
Ｆｓ＝ａｓ１×φ＋ａｓ２×ＸＢ５０／ＲＢ５０＋ａｓ３
Ｆｆ＝ａｆ１×ＲＢ６.２５／ＸＢ６.２５＋ａｆ２×ＲＣ５０／ＸＣ５０＋ａｆ３
で表す肌状態演算式を演算式記憶部１７に予め記憶する。
また、測定部１で測定した第２内部基準電圧値ＶＲ２と、定数演算部１９で演算したインピーダンス変動要因による変動定数ｃ、ｏｓ、内外基準インピーダンス関係の傾き定数ｐ及び補正定数ｋとを定数記憶部１８に記憶する。
【００３６】
なお、第１外部基準インピーダンス演算式、第２外部基準インピーダンス演算式、第１暫定体内インピーダンス演算式及び第２暫定体内インピーダンス演算式は、測定部１に生じるインピーダンス変動要因に基づく変動を考慮した図６の回路モデルに基づいて導き出したものである。図６の各部は、内部基準インピーダンスをＺＲ、身体を測定の際の接触インピーダンスをＺＣ、身体を測定の際の体内インピーダンスをＺＢ、身体を測定の際の全インピーダンスＺＴＯＴＡＬ、浮遊容量等によるインピーダンスをＺＳ、寄生インピーダンスをＺＰ、内部基準インピーダンスと身体とにかけて生ずる電圧をＶＯ、定電流をＩＣ及び電圧検出に係わる回路をＡＭＰで表している。また、インピーダンス変動要因による変動定数ｃとはスケールファクター変動定数を示し、インピーダンス変動要因による変動定数ｏｓとはオフセット電圧変動定数を示している。また、生体等価モデル関連パラメータ演算式は、生体に電流を流した場合において、周波数領域に着目したとき、細胞外電解質−細胞膜−細胞内電解質の生体構造に起因することから仮定される図２の生体電気的等価モデルに基づいて導き出したものである。また、肌状態演算式は、皮膚状態を官能的な指標に分類（潤い（又は、かさつき）、張り（又は、むくみ）、きめ、あぶら（又は、つや））し、これらと接触インピーダンス及び体内インピーダンスにおけるレジスタンス成分やリアクタンス成分、生体組織を構成する等価モデルに係わるパラメータ（Ｒｅ、Ｒｉ、Ｃｍ、Ｒ∞、φ）との関係を多くの被験者を対象に求めることによって導き出したものである。
【００３７】
肌状態推定装置を構成するこれら各部のうち、マイクロコンピュータ３は、変動定数・傾き定数・補正定数を演算する定数演算部１９、身体を測定の際の全インピーダンス値・身体を測定の際の暫定体内インピーダンス値・身体を測定の際の接触インピーダンス値・第１外部基準インピーダンス及び第３外部インピーダンスを測定の際の暫定体内インピーダンス値・外部基準インピーダンスを測定の際の接触インピーダンス値を演算する接触インピーダンス演算部２０、身体を測定の際の体内インピーダンス値を演算する体内インピーダンス演算部２１、生体組織を構成する等価モデルに係わるパラメータを演算する生体等価モデル関連パラメータ演算部２２及び肌状態を演算する肌状態演算部２３を兼有し、各種の演算や制御や内部記憶を行う。なお、定数演算部１９、接触インピーダンス演算部２０、体内インピーダンス演算部２１、生体等価モデル関連パラメータ演算部２２及び肌状態演算部２３における具体的な働きについては、後述する動作についての説明の際に兼ねて行う。
【００３８】
肌状態推定装置を構成するこれら各部のうち、表示部４は、マイクロコンピュータ３により演算した結果等を表示する。入力部６は、電源投入や定数取得モードへの切換を行う。電源部７は、入力部６からの信号に基づいて電気系統各部に電力を供給する。
【００３９】
次に、図７に示す定数取得モードにおけるメインフローチャート、図８に示す測定モードにおけるメインフローチャート、図９に示す定数取得モードにおけるサブルーチンフローチャート、図１０に示す測定モードにおけるサブルーチンフローチャートを用いて、本発明に係わる肌状態推定装置の具体的な動作について説明する。
【００４０】
肌状態推定装置は、接触インピーダンス及び体内インピーダンスを測定する事前の段階として、各種定数の取得を行う。図７に示すフローチャートの流れに従って、まず、５０kHzの交流周波数で測定した際の各種定数を取得し（ステップＳ１）、次いで、６.２５kHzの交流周波数で測定した際の各種定数を取得する（ステップＳ２）。
【００４１】
そして、これら各ステップにおいては、周波数を異にするだけで同様に、図９に示すフローチャートの流れに従って処理を行う。
【００４２】
まず、入力部６により定数取得モードに切換え、第１外部基準インピーダンス（ＺＯ１＝８００Ω）だけを電極Ａ、Ｂに接続すると（ステップＳ２１）、測定部１において、内部基準インピーダンス（ＺＲ＝８００Ω）両端間（図５のｍｎ間）の電圧値を第１内部基準電圧値ＶＲ１として測定し（ステップＳ２２）、第１外部基準インピーダンス（ＺＯ１＝８００Ω）両端間（図５のｂｃ間）の電圧値を第１外部基準電圧値をＶＯ１として測定する（ステップＳ２３）。
【００４３】
続いて、第２外部基準インピーダンス（ＺＯ２＝２００Ω）だけを電極Ａ、Ｂに接続すると（ステップＳ２４）、測定部１において、内部基準インピーダンス（ＺＲ＝８００Ω）両端間（図５のｍｎ間）の電圧値を第２内部基準電圧値ＶＲ２として測定し（ステップＳ２５）、第２外部基準インピーダンス（ＺＯ２＝２００Ω）両端間（図５のｆｇ間）の電圧値を第２外部基準電圧値ＶＯ２として測定し（ステップＳ２６）、定数記憶部１８において、この第２外部基準電圧値ＶＯ２を記憶する（ステップＳ２７）。
【００４４】
続いて、定数演算部１９において、測定部１により測定した第１外部基準電圧値ＶＯ１及び第１内部基準電圧値ＶＲ１を演算式記憶部１７により予め記憶している第１外部基準インピーダンス演算式に代入し、測定部１により測定した第２外部基準電圧値ＶＯ２及び第２内部基準電圧値ＶＲ２を演算式記憶部１７により記憶している第２外部基準インピーダンス演算式に代入し、これら２つの演算式を連立方程式として解くことによってインピーダンス変動要因による変動定数ｃ、ｏｓを演算し（ステップＳ２８）、定数記憶部１８において、このインピーダンス変動要因による変動定数ｃ、ｏｓを記憶する（ステップＳ２９）。
【００４５】
続いて、第１外部基準インピーダンス（ＺＯ１＝８００Ω）及び第３外部基準インピーダンス（ＺＯ３＝８００Ω）を電極Ａ、Ｂに接続すると（ステップＳ３０）、測定部１において、内部基準インピーダンス（ＺＲ＝８００Ω）両端間（図５のｍｎ間）の電圧値を第３内部基準電圧値ＶＲ３として測定し（ステップＳ３１）、第１外部基準インピーダンス（ＺＯ１＝８００Ω）両端間（図５のｊｋ間）の電圧値を第３外部基準電圧値ＶＯ３として測定する（ステップＳ３２）。
【００４６】
続いて、定数演算部１９において、測定部１により測定した第３内部基準電圧値をＶＲ３及び第２内部基準電圧値をＶＲ２を演算式記憶部１７により記憶している傾き演算式に代入して傾き定数ｐを演算し（ステップＳ３３）、定数記憶部１８において、この傾き定数ｐを記憶する（ステップＳ３４）。
【００４７】
続いて、接触インピーダンス演算部２０において、測定部１により測定した第３外部基準電圧値ＶＯ３及び第３内部基準電圧値ＶＲ３と、定数記憶部１８に記憶したインピーダンス変動要因による変動定数ｃ、ｏｓとを演算式記憶部１７により記憶している第２暫定体内インピーダンス演算式に代入して第１外部基準インピーダンス及び第３外部基準インピーダンスを測定の際の暫定体内インピーダンス値ＺＯ１−ＴＥＭＰとを演算する（ステップＳ３５）。
【００４８】
続いて、接触インピーダンス演算部２０において、第１外部基準インピーダンス及び第３外部基準インピーダンスを測定の際の暫定体内インピーダンス値ＺＯ１−ＴＥＭＰを演算式記憶部１７により記憶している外部基準接触インピーダンス演算式に代入して第１外部基準インピーダンス及び第３外部基準インピーダンスを測定の際の外部基準を測定の際の接触インピーダンス値ＺＣＯを演算する（ステップＳ３６）。
【００４９】
続いて、定数演算部１９において、接触インピーダンス演算部２０により演算した第１外部基準インピーダンス及び第３外部基準インピーダンスを測定の際の外部基準を測定の際の接触インピーダンス値ＺＣＯ及び暫定体内インピーダンス値ＺＯ１−ＴＥＭＰとを演算式記憶部１７により記憶している外部基準インピーダンス演算式に代入して補正定数ｋを演算し（ステップＳ３７）、定数記憶部１８において、この補正定数ｋを記憶し（ステップＳ３８）、定数取得モードを終了する。
【００５０】
接触インピーダンス値及び体内インピーダンス値を求めるにあたって必要な各種定数を取得した肌状態推定装置は、取得後、定数取得モードに切換えられない限り、図８及び図１０で示すフローチャートの流れに従って、肌状態を求める処理を行う。
【００５１】
図８のフローチャートに示すように、インピーダンス測定手段において、まず、５０kHzの交流周波数で測定したる際の接触インピーダンス値ＺＣ５０（ＲＣ５０、ＸＣ５０）及び体内インピーダンス値ＺＢ５０（ＲＢ５０、ＸＢ５０）を取得し（ステップＳ１１）、次いで、６.２５kHzの交流周波数で測定したる際の接触インピーダンス値ＺＣ６.２５（ＲＣ６.２５、ＸＣ６.２５）及び体内インピーダンス値ＺＢ６.２５（ＲＢ６.２５、ＸＢ６.２５）を取得する（ステップＳ１２）。なお、これらの取得処理の詳細については図１０を用いて後述する。
【００５２】
続いて、生体等価モデル関連パラメータ演算部２２において、演算式記憶部１７に記憶している生体等価モデル関連パラメータ演算式の体内インピーダンスＺＢ（＝ＲＢ＋ｊ×ＸＢ）に、インピーダンス測定手段により取得した体内インピーダンス値ＺＢ５０（ＲＢ５０、ＸＢ５０）又はＺＢ６.２５（ＲＢ６.２５、ＸＢ６.２５）を代入し、又、周波数ｆに周波数５０kHz又は６.２５kHzを代入することによって、４つの方程式を組立て連立し、細胞外液抵抗Ｒｅ、細胞内液抵抗Ｒｉ及び分布膜容量Ｃｍの値を演算する。更に、図３に示すような、実部軸と虚部軸とに周波数に依存するインピーダンスのベクトル軌跡を示す円弧則（cole-coleの円弧則）に基づいて、インピーダンス測定手段で測定した多周波数交流（５０kHz及び６.２５kHz）における体内インピーダンスに対応するベクトル軌跡を描いた際の測定した体内インピーダンスＺＢ５０と実部軸とを結ぶ直線と実部軸との成す角度φ（φ１又はφ２）の値と、細胞外液抵抗と細胞内液抵抗との並列合成抵抗Ｒ∞（＝Ｒｅ//Ｒｉ）の値とを演算する（ステップＳ１３）。
【００５３】
続いて、肌状態演算部２３において、インピーダンス測定手段により取得した接触インピーダンスのレジスタンス成分ＲＣ５０及びＲＣ６.２５、リアクタンス成分ＸＣ５０及びＸＣ６.２５、体内インピーダンスのレジスタンス成分ＲＢ５０及びＲＢ６.２５、リアクタンス成分ＸＢ５０及びＸＢ６.２５の値や、生体等価モデル関連パラメータ演算部２２により演算した細胞外液抵抗Ｒｅ、細胞内液抵抗Ｒｉ、分布膜容量Ｃｍ、角度φ（φ１又はφ２）、並列合成抵抗をＲ∞（＝Ｒｅ//Ｒｉ）の値を演算式記憶部１７に記憶している肌状態演算式に代入することによって、潤い（又は、かさつき）Ｆｗ、張り（又は、むくみ）Ｆｔ、きめＦｓ、あぶら（又は、つや）Ｆｆの値を演算し（ステップＳ１４）、これらの値を表示部４に表示し（ステップＳ１５）、一連の動作処理について終了する。
【００５４】
上述した図８のフローチャートのステップＳ１１及びステップＳ１２においては、周波数を異にするだけで同様に、図１０に示すフローチャートの流れに従って処理を行う。
【００５５】
まず、電源投入直後または定数取得モードの後、肌状態推定装置は、測定モードとなり、接触インピーダンス演算部２０において、定数記憶部１８に記憶した変動定数ｃ、ｏｓ、傾き定数ｐ、切片定数ｑ及び補正定数ｋを呼び出す（ステップＳ４１）。
【００５６】
続いて、電極に接触するように把持体５２を肌に当てると、測定部１において、皮膚層の電圧値を身体電圧値ＶＨＵＭとして測定し（ステップＳ４２）、内部基準インピーダンス（ＺＲ＝８００Ω）両端間（図１のｍｎ間）の電圧値を第４内部基準電圧値をＶＲ４として測定する（ステップＳ４３）。
【００５７】
続いて、接触インピーダンス演算部２０において、測定部１により測定した第４内部基準電圧値をＶＲ４と、定数記憶部１８から呼び出した傾き定数をｐ及び切片定数をｑ（＝第２内部基準電圧値ＶＲ２）とを演算記憶部により予め記憶している全インピーダンス演算式に代入して身体を測定の際の全インピーダンス値をＺＴＯＴＡＬを演算する（ステップＳ４４）。
【００５８】
続いて、接触インピーダンス演算部２０において、測定部１により測定した身体電圧値ＶＨＵＭ及び第４内部基準電圧値をＶＲ４と、定数記憶部１８から呼び出したインピーダンス変動要因による変動定数ｃ、ｏｓとを演算記憶部により予め記憶している第１暫定体内インピーダンス演算式に代入して身体を測定の際の暫定体内インピーダンス値ＺＢ−ＴＥＭＰを演算する（ステップＳ４５）。
【００５９】
続いて、接触インピーダンス演算部２０において、先に演算した全インピーダンス値ＺＴＯＴＡＬ及び身体を測定の際の暫定体内インピーダンス値ＺＢ−ＴＥＭＰを演算記憶部により予め記憶している身体接触インピーダンス演算式に代入して身体を測定の際の接触インピーダンス値をＺＣを演算する（ステップＳ４６）。
【００６０】
続いて、体内インピーダンス演算部２１において、接触インピーダンス演算部２０により演算した身体を測定の際の接触インピーダンス値ＺＣ及び身体を測定の際の暫定体内インピーダンス値をＺＢ−ＴＥＭＰと、定数記憶部１８から呼び出した補正定数ｋとを演算記憶部により予め記憶している体内インピーダンス演算式に代入して身体を測定の際の体内インピーダンス値ＺＢを演算する（ステップＳ４７）。
【図面の簡単な説明】
【００６１】
【図１】肌状態推定装置の機能的構成を示すブロック図である。
【図２】生体電気的等価モデルである。
【図３】周波数に依存するインピーダンスのベクトル軌跡を示す図である。
【図４】肌状態推定装置の外観構成を示す外観図である。
【図５】肌状態推定装置の構造的構成を示すブロック図である。
【図６】身体を測定する際の回路モデルである。
【図７】肌状態推定装置の定数取得モードにおける動作の流れを示すメインフローチャートである。
【図８】肌状態推定装置の測定モードにおける動作の流れを示すメインフローチャートである。
【図９】肌状態推定装置の定数取得モードにおける動作の流れを示すサブルーチンフローチャートである。
【図１０】肌状態推定装置の測定モードにおける動作の流れを示すサブルーチンフローチャートである。
【符号の説明】
【００６２】
１  測定部
２  ＥＥＰＲＯＭ
３  マイクロコンピュータ
４  表示部
５  体重計
６  入力部
６ａ  電源キー
６ｂ  選択キー
６ｃ  決定キー
７  電源部
８  定電圧（正弦波交流）発生器
９  Ｖ／Ｉ変換器
１０  内部基準インピーダンス
１１  電極Ａ
１２  電極Ｂ
１３  切換器
１４  増幅器
１５  フィルタ
１６  Ａ／Ｄ変換器
１７  演算式記憶部
１８  定数記憶部
１９  定数演算部
２０  接触インピーダンス演算部
２１  体内インピーダンス演算部
２２  生体等価モデル関連パラメータ演算部
２３  肌状態演算部
５１  筐体
５２  把持体
５３  コード
１０１  インピーダンス測定手段
１０２  生体等価モデル関連パラメータ推定手段
１０３  肌状態推定手段
【図１】
2005253840.tif 000003
【図２】
2005253840.tif 000004
【図３】
2005253840.tif 000005
【図４】
2005253840.tif 000006
【図５】
2005253840.tif 000007
【図６】
2005253840.tif 000008
【図７】
2005253840.tif 000009
【図８】
2005253840.tif 000010
【図９】
2005253840.tif 000011
【図１０】
2005253840.tif 000012